(57)【要約】【課題】室内にてスリッパを履いている時に、爪先立ちや爪先歩きを可能にして足全体の筋肉引き締め強化をする。そして、そのスリッパは簡易に普通のスリッパになる室内履きのスリッパを提供する。【解決手段】前踏部から踵部にかけて適度に傾斜をつけたスリッパ４に、面ファスナーのループ面３を接足面の土踏まず周辺から踵部の位置に取付ける。そして、その上に着脱自在の踏み棒２を適宜の位置に置き、別の面ファスナーのフック面１を覆い被せることで解決する。【選択図】図１
2011041780.tif 000002
【特許請求の範囲】
【請求項１】
前踏部から踵部にかけて適度に傾斜をつけたスリッパ（４）に、面ファスナーのループ面（３）を接足面の土踏まず周辺から踵部の位置に取付ける。そして、その上に面ファスナーのフック面を表面に貼り付けた着脱自在の円柱形の棒（２）（以下、踏み棒という）を適宜の位置に置き、別の面ファスナーのフック面（１）を覆い被せた室内履きのスリッパ。
【発明の詳細な説明】
【技術分野】
【０００１】  本発明は、室内にてスリッパを履いている時に、爪先立ちや爪先歩きを可能にして足全体の筋肉引き締め強化を目的とする。そして、爪先歩きや爪先立ちをしたくない場合は、踏み棒を外すことにより、簡易に普通のスリッパになる室内履きのスリッパに関するものである。
【背景技術】
【０００２】  従来、室内履きのスリッパには、体の重心が爪先寄りになるという踵を支えない履物（例えば、特許文献１参照。）、爪先立ちを補助する厚みのあるソールを設けるもの（例えば、特許文献２参照。）、一足で複数の用途を満たすことが出来る指圧用のスリッパの爪先立ち用踵用具（例えば、特許文献３参照。）、履物用足台を履物の踵部に取付けるもの（例えば、登録実用新案文献１参照。）、サンダルの土踏まずの対応部位に、横一直線状で弾力を有する隆起部を形成したもの（例えば、登録実用新案文献２参照。）がある。
【先行技術文献】
【特許文献】
【０００３】
【特許文献１】  特開平３−１３１２０１号公報
【特許文献２】  特開２００５−２９６５７４号公報
【特許文献３】  特開２００１−１１２８４５号公報
【登録実用新案文献】
【０００４】
【登録実用新案文献１】
昭５８−６５９０４号公報
【登録実用新案文献２】
第３０２０４７９号公報
【発明の概要】
【発明が解決しようとする課題】
【０００５】  普段、足を鍛えるために素足で爪先立ちや爪先歩きをすると、体の重心がとりにくく疲れてしまい、日々続けることが困難である。【０００６】  踵部の高い履物を履けば爪先立ちや爪先歩きはできるが、相当に踵部の高さを高くしなければならなく、室内で履くのは危険であり足が疲れる。接足面に突起物を形成しているスリッパは、人それぞれ足裏の刺激を感じる加減が難しく、また、長時間履いていると、接足面の突起物により常に足裏の同じ位置に力がかかってしまい、部分的に麻痺を感じる時や、足裏の皮膚が硬くなる場合がある。足裏への長時間の刺激は好ましくない。【０００７】  特許文献１の踵部を支えない履物は、台所等で履いて立っていると爪先より履物の踵部後方周辺に接する足裏の土踏まずに力が入ってしまい、土踏まず周辺に痛さを感じる。【０００８】  特許文献２は、ソールの上面が平面であるため、足裏の踵部全体がソールに接することになり、体を支える力が踵部にも分散して爪先へかかる力が弱くなる。また、特許文献３のスリッパの爪先立ち用踵用具については着脱可能素材にて設けるとある。どちらの文献も爪先に力が入るほどにソールや爪先用踵用具を高くすると外れる可能性があり、室内では危険で足が疲れやすいと思われる。【０００９】  登録実用新案文献１の履物用足台については、足台を固定若しくは着脱自在とあるが、取付け方法を、両面テープ、釘、吸盤、ハトメ留め、熱、光線等を手段としており、簡易に着脱自在は不可能である。また、万人の足のサイズがあり、前記の取付け方法では微妙な配置は困難と思われる。【００１０】  登録実用新案文献２のサンダルの土踏まずの対応部位に横一直線状で弾力を有する隆起部を形成したものは、履いている間、常に足裏の同じ位置に刺激がかかることが問題である。足裏に刺激をし続けると部分的な麻痺や皮膚が硬くなることがある。
【課題を解決するための手段】
【００１１】  前踏部から踵部にかけて適度に傾斜をつけたスリッパ４に、面ファスナーのループ面３を接足面の土踏まず周辺から踵部の位置に取付ける。そして、その上に面ファスナーのフック面を表面に貼り付けた着脱自在の踏み棒２を適宜の位置に置き、別の面ファスナーのフック面１を覆い被せることで解決する。【００１２】  本発明は、体の重心が踵部にかかりにくくするために、前踏部から踵部にかけて傾斜をつけたスリッパを使用する。そして、踏み棒を円柱形にして踏み棒と足裏が接する部分を極力小さくして足裏に不安定さの感触をあたえることで、前踏部で体の重心を保とうとし、前踏部の爪先周辺に力が入ることを特徴とする。但し、踏み棒は足裏の幅に対応する長さなので、体の左右の横のバランスの不安定さは無い。【００１３】  また、踏み棒を足裏の同じ位置に置くのではなく、土踏まずから踵部の間で移動して微調整することが可能であり、爪先立ちや爪先歩きをしたくない時には踏み棒を取り外すことにより、簡易に普通の室内履きのスリッパになることを特徴とする。【００１４】  踏み棒が足裏に不安定さの感触をあたえるが、踏み棒の直径が１ｃｍ程であり、実際は足裏とスリッパの接足面との高さの差はあまり無く、スリッパ自体には踵部があるので安全である。
【発明の効果】
【００１５】  中高年になると筋肉が衰えて足腰の痛みを感じる人が多くなる。本発明は、爪先立ちや爪先歩きを行うことにより、足全体の筋肉引き締め強化が可能になり、膝痛、腰痛の軽減に役に立つ。また、一日に踏み棒を用いる時間は一時間程度の短時間でよく、それ以上スリッパを履く場合は、踏み棒を外すことで簡易に普通のスリッパとして使用することができる。【００１６】  体格や体重が人それぞれ違うので、傾斜をつけたスリッパに、踏み棒を土踏まずから踵部の適宜の位置に置くことにより、爪先にかかる力の強弱を各人にて調整できる。
【図面の簡単な説明】
【００１７】
【図１】スリッパの斜視図である。
【図２】スリッパの分解説明斜視図である。
【発明を実施するための形態】
【００１８】スリッパ４は、前踏部より踵部のほうに角度３５度前後の傾斜をつける。
面ファスナーのループ面３をスリッパの接足面の土踏まず周辺から踵部の位置に取付ける。
踏み棒２の円柱形の材質は、弾力性のあるゴム質のものが良い。そして、直径は１ｃｍ程で、表面に面ファスナーのフック面を貼り付ける。
踏み棒２を面ファスナーのループ面３上の適宜の位置に置く。
別の面ファスナーのフック面１をその上に覆い被せて、踏み棒が外れないようにする。
【実施例】
【００１９】  面ファスナーのフック面１の裏面は足裏と接触するので、通気性、抗菌性のある布地を取付けると良い。また、デザイン性を考慮し、スリッパ４の接足面の同じ布地をフック面１の裏面に取付けると良い。
【符号の説明】
【００２０】        １  面ファスナーのフック面
２  踏み棒
３  面ファスナーのループ面
４  スリッパ
【図１】
2011041780.tif 000003
【図２】
2011041780.tif 000004
【手続補正書】
【提出日】平成21年9月28日(2009.9.28)
【手続補正１】
【補正対象書類名】明細書
【補正対象項目名】０００２
【補正方法】変更
【補正の内容】
【０００２】  従来、室内履きのスリッパには、体の重心が爪先寄りになるという踵を支えない履物（例えば、特許文献１参照。）、爪先立ちを補助する厚みのある平高インソールを設けるもの（例えば、特許文献２参照。）、一足で複数の用途を満たすことが出来る指圧用のスリッパの爪先立ち用踵用具（例えば、特許文献３参照。）、履物用足台を履物の踵部に取付けるもの（例えば、登録実用新案文献１参照。）、サンダルの土踏まずの対応部位に、横一直線状で弾力を有する隆起部を形成したもの（例えば、登録実用新案文献２参照。）がある。
【手続補正２】
【補正対象書類名】明細書
【補正対象項目名】０００４
【補正方法】変更
【補正の内容】
【０００４】
【登録実用新案文献１】実開昭５８−６５９０４号公報
【登録実用新案文献２】実登第３０２０４７９号公報
【手続補正３】
【補正対象書類名】明細書
【補正対象項目名】０００８
【補正方法】変更
【補正の内容】
【０００８】  特許文献２は、平高インソールの上面が平面であるため、足裏の踵部全体が平高インソールに接することになり、体を支える力が踵部にも分散して爪先へかかる力が弱くなる。また、特許文献３のスリッパの爪先立ち用踵用具については着脱可能素材にて設けるとある。どちらの文献も爪先に力が入るほどに平高インソールや爪先立ち用踵用具を高くすると外れる可能性があり、室内では危険で足が疲れやすいと思われる。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
前踏部から踵部にかけて傾斜をつけたスリッパであって、
接足面の土踏まずから踵の位置に取付けられたループ面の面ファスナーと、
周側面全周に面ファスナーのフック面が貼り付けられ、前記ループ面の面ファスナーの上に着脱自在に取り付けられる円柱形の棒と、
前記ループ面の面ファスナーおよび前記棒に覆い被せられるフック面の面ファスナーとを備える、室内履きのスリッパ。
【手続補正２】
【補正対象書類名】明細書
【補正対象項目名】００１１
【補正方法】変更
【補正の内容】
【００１１】
前踏部から踵部にかけて適度に傾斜をつけたスリッパ４に、面ファスナーのループ面３を接足面の土踏まず周辺から踵部の位置に取付ける。そして、その上に面ファスナーのフック面を表面（周側面全周）に貼り付けた着脱自在の円柱形の棒（以下、「踏み棒」という）２を適宜の位置に置き、別の面ファスナーのフック面１を覆い被せることで解決する。